(57)【要約】【課題】  本発明は、隔壁が筒状モジュールケースから剥離したり抜けたりすることを防止し、かつバッフル筒に接着した中空糸膜の剥離によるリークを効果的に防止することができる筒状モジュールケース及び中空糸膜モジュールを提供する。【解決手段】  筒軸に対して斜交する方向に延在するスリットを備えたバッフル筒を内在した、内壁両端部に隔壁を有する中空糸膜モジュールに用いられる筒状モジュールケースにおいて、前記スリットは端部側に拡大部を有し、前記拡大部の筒軸方向の長さＬと前記隔壁の筒軸垂直方向の断面積ＳがＬ／Ｓ≦３．０×１０−３ｍｍ−１を満たすことを特徴とする筒状モジュールケース。  前記筒状モジュールケースに中空糸膜束が内挿され、かつ前記筒状モジュールケースの内壁の両端部に前記中空糸膜束を固定する隔壁を有してなることを特徴とする中空糸膜モジュール。【選択図】  図３
2009195899.tif 000002
【特許請求の範囲】
【請求項１】
筒軸に対して斜交する方向に延在するスリットを備えたバッフル筒を内在した、内壁両端部に隔壁を有する中空糸膜モジュールに用いられる筒状モジュールケースにおいて、前記スリットは端部側に拡大部を有し、前記拡大部の筒軸方向の長さＬと前記隔壁の筒軸垂直方向の断面積ＳがＬ／Ｓ≦３．０×１０−３ｍｍ−１を満たすことを特徴とする筒状モジュールケース。
【請求項２】
前記隔壁の筒軸垂直方向の断面積Ｓが３．０×１０２〜３．０×１０３ｍｍ２であることを特徴とする請求項１に記載の筒状モジュールケース。
【請求項３】
前記拡大部は前記隔壁に内在せしめられることを特徴とする請求項１または２に記載の筒状モジュールケース。
【請求項４】
前記スリットにおける拡大部以外の部位の全部または一部が前記隔壁に内在せしめられないことを特徴とする請求項１〜３のいずれかに記載の筒状モジュールケース。
【請求項５】
前記スリットの筒軸に対する斜交角度θが１５〜６０°であることを特徴とする請求項１〜４のいずれかに記載の筒状モジュールケース。
【請求項６】
前記スリットにおける拡大部の幅寸法ＷＬと拡大部以外の部位の幅寸法ＷＳが１．５≦ＷＬ／ＷＳ≦５．０を満たすことを特徴とする請求項１〜５のいずれかに記載の筒状モジュールケース。
【請求項７】
請求項１〜６のいずれかに記載の筒状モジュールケースに中空糸膜束が内挿され、かつ前記筒状モジュールケースの内壁の両端部に前記中空糸膜束を固定する隔壁を有してなることを特徴とする中空糸膜モジュール。
【請求項８】
血液処理器に用いられることを特徴とする請求項７に記載の中空糸膜モジュール。
【発明の詳細な説明】
【技術分野】
【０００１】
本発明は、人工透析、血液濾過に必要な血液処理器、浄水器、ガス分離膜等に用いられる中空糸膜モジュールに関するものである。
【背景技術】
【０００２】
処理液と被処理液により物質の濾過、透析等を行う中空糸膜モジュールは単位容積当たりの有効膜面積が大きくとれるため、これまで精密濾過、限外濾過等の水処理関係、窒素、酸素、水素等のガス分離関係、薬品関係、バイオ関係等多くの分野で使用されており、とりわけ血液透析、血液濾過等の血液処理器として好適に利用されている。
【０００３】
中空糸膜モジュールはそれぞれの用途に適切な形状にすべく最適な筒状モジュールケースが選定され、これに中空糸膜束を挿入して存在させ、筒状モジュールケース端部で中空糸膜と中空糸膜の間、及び中空糸膜と筒状モジュールケース内壁の間をポッティング剤（硬化性樹脂）にて固定し、その後不必要な部分を取り除くことによって端部の中空糸膜の中空部を開口させて隔壁を形成することで処理液と被処理液の流路あるいは空間を得ることができる。
【０００４】
この中空糸膜モジュールの設計についてはこれまで種々の技術が公開されてきているが、例えば、隔壁が筒状モジュールケースから剥離したり抜けたりすることを防止することができる中空糸膜モジュールを提供する技術として、筒状モジュールケースの筒軸に対して斜交する方向に延在するスリットを備えたバッフル筒を隔壁に内在せしめる設計技術が開示されている(例えば、特許文献１参照)。
【０００５】
前記特許文献１の設計による筒状モジュールケースにおいては、バッフル筒の一部を隔壁に内在せしめ、残りの部分が隔壁より内側の筒状モジュールケース内に露出するようにして、さらにスリットの形状や配置等を工夫することによって、筒状モジュールケース内を流通する処理液の整流作用が得られるが、以下の点において課題があった。
【０００６】
通常、ポッティング剤により隔壁を形成させる方法としては、筒状モジュールケース側面に設けられた開口部よりポッティング剤を注入し、遠心力により筒状モジュールケース端部へポッティング剤を移動させ硬化させる方法が、筒状モジュールケースの両端部から注入する方法よりも装置が簡略であり、効率的である。
【０００７】
しかしながら、筒状モジュールケース側面に設けられた開口部が隔壁形成部よりも中央側にあるため、隔壁形成部以外の中空糸膜にポッティング剤が付着し、隔壁形成部より中央側に存在するバッフル筒に中空糸膜が接着してしまう場合がある。
【０００８】
バッフル筒に隔壁形成部以外の中空糸膜が接着すると、輸送中の衝撃や中空糸膜の内外に液体や気体が流入した場合に中空糸膜がバッフル筒から剥離し、その際、中空糸膜が損傷してリークを引き起こす場合がある。
【０００９】
中空糸膜の筒状モジュールケースへの接着、剥離によるリークを防止するための従来技術としては、バッフル板や筒状モジュールケース側面に設けられた開口部の形状を工夫することで、筒状モジュールケースとポッティング剤が付着した中空糸膜との間に空間を設け、中空糸膜の筒状モジュールケースへの接着を防止する技術が開示されている(例えば、特許文献２及び３参照)。
【００１０】
しかしながら、前記特許文献１の筒状モジュールケースにおいては、隔壁が筒状モジュールケースから剥離したり抜けたりすることを防止するために、筒状モジュールケースの筒軸に対して斜交する方向に延在するスリットを備えたバッフル筒を隔壁に内在せしめており、バッフル筒や筒状モジュールケース側面に設けられた開口部の形状の工夫ではバッフル筒とポッティング材が付着した中空糸膜との間に空間を設けることができないため、特許文献２及び３に記載されているような方法によるリーク防止技術は適用できない。
【００１１】
以上のことから、前記特許文献１の設計による筒状モジュールケースにおいては中空糸膜のバッフル筒への接着を防止できないため、輸送中の衝撃や中空糸膜の内外に液体や気体が流入した場合に、中空糸膜がバッフル筒から剥離し、その際中空糸膜が損傷してリークを引き起こすという課題が残されていた。
【先行技術文献】
【特許文献】
【００１２】
【特許文献１】特開２００４−１５４７７２号公報
【特許文献２】特開２００５−３４２３９４号公報
【特許文献３】特開２０００−４２１００号公報
【発明の概要】
【発明が解決しようとする課題】
【００１３】
本発明の課題は、かかる従来技術の問題点を改良するものであり、隔壁が筒状モジュールケースから剥離したり抜けたりすることを防止し、かつバッフル筒に接着した中空糸膜の剥離によるリークを効果的に防止することができる筒状モジュールケース及び中空糸膜モジュールを提供することにある。
【課題を解決するための手段】
【００１４】
前記課題を解決するため、本発明の中空糸膜モジュールは下記の構成からなる。
【００１５】
すなわち、
（１）筒軸に対して斜交する方向に延在するスリットを備えたバッフル筒を内在した、内壁両端部に隔壁を有する中空糸膜モジュールに用いられる筒状モジュールケースにおいて、前記スリットは端部側に拡大部を有し、前記拡大部の筒軸方向の長さＬと前記隔壁の筒軸垂直方向の断面積ＳがＬ／Ｓ≦３．０×１０−３ｍｍ−１を満たすことを特徴とする筒状モジュールケース。
【００１６】
ここで、拡大部とは前記スリットの幅寸法、すなわち長手方向と垂直の方向の寸法が拡大部以外の部位の幅寸法より大きい箇所のことであり、前記拡大部以外の部位の幅寸法が一様でない場合は、同部位の両端及び中央の３点を採った平均値を以て拡大部以外の部位の幅寸法とする。
【００１７】
（２）前記隔壁の筒軸垂直方向の断面積Ｓが３．０×１０２〜３．０×１０３ｍｍ２であることを特徴とする（１）に記載の筒状モジュールケース。
【００１８】
（３）前記拡大部は前記隔壁に内在せしめられることを特徴とする（１）または（２）に記載の筒状モジュールケース。
【００１９】
（４）前記スリットにおける拡大部以外の部位の全部または一部が前記隔壁に内在せしめられないことを特徴とする（１）〜（３）のいずれかに記載の筒状モジュールケース。
【００２０】
（５）前記スリットの筒軸に対する斜交角度θが１５〜６０°であることを特徴とする（１）〜（４）のいずれかに記載の筒状モジュールケース。
【００２１】
（６）前記スリットにおける拡大部の幅寸法ＷＬと拡大部以外の部位の幅寸法ＷＳが１．５≦ＷＬ／ＷＳ≦５．０を満たすことを特徴とする（１）〜（５）のいずれかに記載の筒状モジュールケース。
【００２２】
（７）（１）〜（６）のいずれかに記載の筒状モジュールケースに中空糸膜束が内挿され、かつ前記筒状モジュールケースの内壁の両端部に前記中空糸膜束を固定する隔壁を有してなることを特徴とする中空糸膜モジュール。
【００２３】
（８）血液処理器に用いられることを特徴とする（７）に記載の中空糸膜モジュール。
【発明の効果】
【００２４】
本発明によって、隔壁が筒状モジュールケースから剥離したり抜けたりすることを防止し、かつバッフル筒に接着した中空糸膜の剥離によるリークを効果的に防止することが可能な筒状モジュールケース及び中空糸膜モジュールを提供することができる。
【図面の簡単な説明】
【００２５】
【図１】本発明の１つの実施形態に係る中空糸膜モジュールの概略縦断面図である。
【図２】図１に示した中空糸膜モジュールの端部を示す概略部分縦断面図である。
【図３】図２に示した中空糸膜モジュールの端部において、隔壁及び中空糸膜束を除いた状態の端部を示す概略部分縦断面図である。
【図４】図３に示したバッフル筒の展開図である。
【発明を実施するための形態】
【００２６】
以下、図面に基づいて、本発明の筒状モジュールケース及び中空糸膜モジュールを説明する。
【００２７】
図１は本発明による中空糸膜モジュールの一例を示す概略縦断面図である。
【００２８】
図１において、１は筒状モジュールケースであり、前記筒状モジュールケース１には中空糸膜を所定本数束ねた状態にした中空糸膜束２が内挿されており、筒状モジュールケース１の内壁に前記中空糸膜束２を固定し、かつ中空糸膜と中空糸膜の間、及び中空糸膜と筒状モジュールケース１の間をシールしている隔壁３を有している。
【００２９】
さらに、筒状モジュールケース１の両端部に液体が浸入する開口部を設けた蓋４が取り付けられており、筒状モジュールケース１の側面には筒軸方向における隔壁３より中央側にノズル５が存在する。
【００３０】
図２は、図１に示した中空糸膜モジュールにおける端部を拡大した図を示す概略縦断面図を示すものであり、ポッティング剤により隔壁３を形成後、筒状モジュールケース１に固定された隔壁３のケース端部より突出した不要な部分を取り除くとともに、隔壁３の端面に中空糸膜を開口させるためにカッティングを行い、筒状モジュールケース１の両端部に液体が浸入する開口部を設けた蓋４を取り付けた後の状態を示す。
【００３１】
図２において、隔壁３には、筒状モジュールケース１の筒軸に対して斜交する方向に延在するスリット６を備えたバッフル筒７が内在せしめられている。
【００３２】
このバッフル筒７はポッティング剤で隔壁を形成したときに隔壁３に内在せしめられるが、この例では、バッフル筒７の蓋４側の一部が隔壁３に内在せしめられ、その内在せしめられた部分において、スリット６内にポッティング剤が入り込んでいる。
【００３３】
図２において、Ｔは隔壁３の筒軸方向における最も薄い部分の厚さを表す。
【００３４】
図３は、図２に示した筒状モジュールケース１の端部を、隔壁３及び中空糸膜束２を除いて図示したものである。
【００３５】
図３において、バッフル筒７に備えたスリット６は先端側に拡大部８を有している。
【００３６】
図４は、図３に示したバッフル筒７を展開したものである。
【００３７】
本発明においては、かかる拡大部８の筒軸方向の長さＬが、隔壁３の筒軸と垂直方向の断面積ＳとＬ／Ｓ≦３．０×１０−３ｍｍ−１の関係を満たすことを特徴とする。
【００３８】
すなわち、拡大部８を隔壁３に内在せしめ、拡大部以外の部位の全部または一部を隔壁３より内側の筒状モジュールケース１内に露出するようにして、スリット６の形状や配置等を工夫することによって、筒状モジュールケース１内を流通する処理液の整流作用が得られ、かつ拡大部８において入り込むポッティング剤の量が増え剥離強度が向上する。
【００３９】
拡大部８が隔壁３から露出していると、中空糸膜モジュールに外部衝撃が加わった場合やノズル５から液体や気体が流入した場合に流れが拡大部８に集中し、ポッティング剤により拡大部８の近傍に接着した中空糸膜がバッフル筒７から剥離しリークを発生し易くなるため、拡大部８は隔壁３から露出していない方がよい。
【００４０】
しかしながら、拡大部８の長さＬが長すぎると、隔壁３に内在せしめるためにポッティング剤の使用量が増加することとなり、製造コストの高騰を招くことになる。
【００４１】
例えば、隔壁３の厚さＴを２０ｍｍとした場合、拡大部８の長さＬを１５ｍｍとしても拡大部８は隔壁３から露出しないが、ポッティング剤の使用量が増加し製造コストの高騰を招くことになる。
【００４２】
そして、隔壁３の断面積Ｓが大きい程、ポッティング剤の使用量の増加は大きくなる。
【００４３】
従って、上記ＬとＳとはＬ／Ｓ≦３．０×１０−３ｍｍ−１を満たすことが重要である。特に、拡大部８が隔壁３に内在せしめられる場合は、拡大部８がより深く隔壁３に埋設されている方が好ましいことから、Ｌ／Ｓ≦２．５×１０−３ｍｍ−１を満たすことが好ましく、Ｌ／Ｓ≦２．０×１０−３ｍｍ−１を満たすことがより好ましく、Ｌ／Ｓ≦１．５×１０−３ｍｍ−１を満たすことがさらに好ましい。
【００４４】
ただし、拡大部８の長さＬが短すぎる場合、例えば１ｍｍよりもさらに小さな数値とした場合、隔壁３の厚さＴを３ｍｍとしても拡大部８は隔壁３から露出しないが、隔壁３の断面積Ｓが一定の大きさを有するような筒状モジュールケースの場合、隔壁３の強度が不足することがあるため、隔壁３はモジュール化した後の中空糸膜束２の収縮力に耐えられず破損してしまう。
【００４５】
従って、隔壁３が十分な強度を保つためには、隔壁３の厚さＴは４ｍｍ以上であることが好ましく、６ｍｍ以上であることがより好ましい。
【００４６】
本発明においては、バッフル筒７に備えたスリット６の形状や配置等を工夫することによって筒状モジュールケース１内を流通する処理液の整流作用が得られ、バッフル筒７に接着した中空糸膜の剥離によるリークを効果的に防止できるが、処理液の粘性作用または慣性作用のどちらかが支配的過ぎる場合には、その整流作用が薄れてしまい、リークを効果的に防止できなくなる。
【００４７】
筒状モジュールケース１内を流通する処理液は、隔壁３の筒軸垂直方向の断面積Ｓが小さいほど粘性作用が強くなり、逆に断面積Ｓが大きいほど慣性作用が強くなる。
【００４８】
本発明において筒状モジュールケース１内を流通する処理液の整流作用を効率よく得るためには、隔壁３の筒軸垂直方向の断面積Ｓは３．０×１０２〜３．０×１０３ｍｍ２であることが好ましく、４．５×１０２〜２．８×１０３ｍｍ２であることがより好ましく、６．０×１０２〜２．６×１０３ｍｍ２であることが更に好ましい。
【００４９】
ポッティング剤によりスリット６の近傍に接着した中空糸膜の剥離によるリークを効果的に防止するために、ノズル５から流入してくる処理液を整流し、中空糸膜束に略均等に分配できるように、コンピュータによる流体解析等を行った結果、それぞれのスリット６における拡大部の幅寸法ＷＬと拡大部以外の部位の幅寸法ＷＳが１．５≦ＷＬ／ＷＳ≦５．０を満たすように設定することが好ましく、２．０≦ＷＬ／ＷＳ≦４．５を満たすように設定することがより好ましいことを見出した。
【００５０】
また、スリット６の拡大部以外の幅寸法ＷＳを０．５ｍｍ〜２ｍｍの範囲で個別に設定することが好ましい。
【００５１】
拡大部８からポッティング剤を入り込ませ十分な剥離強度を得るためには、拡大部８の長さＬは筒状モジュールケース１の端部から筒軸方向に１ｍｍ以上とすることが好ましく、拡大部８の幅寸法ＷＬは３ｍｍ以上とすることが好ましい。
【００５２】
筒状モジュールケース１内にポッティング剤を注入し、遠心力により筒状モジュールケース１の端部へポッティング剤を移動させ隔壁３を形成させる方法において、中空糸膜が拡大部８からはみ出すことを防止するために、拡大部８の幅寸法ＷＬは５ｍｍ以下とすることが好ましい。
【００５３】
上述したように、スリット６における拡大部の幅寸法ＷＬと拡大部以外の部位の幅寸法ＷＳは、筒状モジュールケース１内を流通する処理液の整流作用、ポッティング剤の剥離強度、隔壁３を形成する際の中空糸の乱れ防止を考慮し、それぞれ個別に設定することが好ましい。
【００５４】
また、人工透析に用いる場合、処理液である透析液が、筒状モジュールケース１の筒軸方向に引き揃えられている中空糸膜の間、もしくは筒状モジュールケース１の周方向で万遍なく筒状モジュールケース１の内部に浸入できるように、スリット６の筒軸に対する斜交角度θは１５〜６０゜程度とすることが好ましく、３０〜４５゜とすることが筒状モジュールケース１の成形性や機械的強度の観点からさらに好ましい。
【００５５】
なお、筒軸に斜交させる方向としては、左ねじりでも右ねじりでも特に大きな有意差はない。
【００５６】
また、スリット６の数はケース一端につき６個から１２個とすることが処理液の整流作用、及び筒状モジュールケース１の成形性や機械的強度等から考えて最も好ましい。
【００５７】
上述の例においては、複数個のスリット６をバッフル筒７の周方向に等分散しているが、任意の間隔で非等配されていてもよい。
【００５８】
ただし、ノズル５の直下にはスリット６が存在しない方が好ましい。
【００５９】
これは、ノズル５から流入した処理液が直接、中空糸膜束２に衝突しないように配慮したものであり、中空糸膜型モジュールでは周知の構成である。
【００６０】
上述したような拡大部８を有するスリット６を備えたバッフル筒７を隔壁３に内在せしめると、隔壁３にそれを筒状モジュールケース１から引き剥がそうとする力が加わったとき、その力が周方向に分散され、筒状モジュールケース１から隔壁３が剥離したり抜けたりすることを防止できることに加え、筒状モジュールケース１内を流通する処理液の整流作用が得られ、バッフル筒７に接着した中空糸膜の剥離によるリークを効果的に防止することができる。
【００６１】
筒状モジュールケース１は金属、プラスチック類等の適当な素材のものから適宜選択して使用することができるが、一般的に比較的ケース成形が容易なプラスチックが用いられる。
【００６２】
使用するプラスチックはポッティング剤の材質により適宜選定され、アクリル系樹脂、ポリスチレン樹脂、ポリカーボネート樹脂等が用いられる。
【００６３】
本発明の中空糸膜モジュールに用いられる中空糸膜は特に限定されるものではないが、アクリル、ポリスルホン、ポリエーテルスルホン、セルロース、トリアセテート、ポリエチレン及びポリプロピレン等の素材からなる中空糸膜が好適に用いられる。
【００６４】
隔壁３を形成するため、遠心成形によるポッティングが好適に用いられる。
【００６５】
ポッティングに用いられるポッティング剤は、ポッティング初期に遠心による流動性を保つ適度な低粘度性を持ち、経時的に硬化し、最終的に所定硬度に到達するものであればいずれの材質でも使用できる。
【００６６】
例えばエポキシ樹脂、ウレタン樹脂等が挙げられ、とりわけ初期粘度調整が比較的に容易であるウレタン系樹脂が好ましく用いられる。
【００６７】
バッフル筒７は通常筒状モジュールケース１の両端部に存在させるのが好ましいが、用途、成形品の生産安定性等により有用であれば片端部だけであっても差し支えない。
【００６８】
前記のごとく基本形状が形成された中空糸膜モジュールは、隔壁３を介して液体が蓋４より流入する流路と筒状モジュールケース１のノズル５より流入する流路が存在し、用途に応じて被処理液、処理液の流路を適宜設定して使用する。
【００６９】
本発明の中空糸膜モジュールは、人工透析、血液濾過に必要な血液処理器等の医療器材や、浄水器、ガス分離膜等の工業材料として好適に用いることができる。
【実施例】
【００７０】
［実施例１］
以下、実施例に基づいて本発明をさらに具体的に説明する。
【００７１】
筒状モジュールケースはポリカーボネート製であり、各設計は以下の通り。
【００７２】
筒状モジュールケースの全長は２７５ｍｍ、端部内径は５６ｍｍ、バッフル筒内径は４６ｍｍとした。
【００７３】
バッフル筒に備えたスリットの拡大部の長さＬは、筒状モジュールケースの端部から筒軸方向に５ｍｍとした。
【００７４】
バッフル筒に備えたスリットのその他の仕様は、筒軸に対する斜交角度θ＝３０°、スリット数６本であり、それぞれのスリットの拡大部の幅寸法ＷＬ１＝ＷＬ２＝ＷＬ３＝ＷＬ４＝ＷＬ５＝ＷＬ６＝４ｍｍ、拡大部以外の幅寸法ＷＳ１＝ＷＳ６＝０．９ｍｍ、ＷＳ２＝ＷＳ５＝１．６ｍｍ、ＷＳ３＝ＷＳ４＝１．３ｍｍの螺旋形状とした（図４参照）。
【００７５】
各スリットはバッフル筒の周方向に等配し、斜交方向は右ねじりとした。
【００７６】
なお、バッフル筒は、筒状モジュールケースの一部として一体成型されているものを用いた。
【００７７】
すなわち、バッフル筒と筒状モジュールケースの材質を同一のものとした。
【００７８】
中空糸膜はポリスルホン製であり、糸外径２８０μｍ、膜厚４０μｍである非対称膜を１２７００本束ねた中空糸膜束を形成した。
【００７９】
ポッティング剤には日本ポリウレタン（株）のウレタン樹脂（品名：ＫＣ−２５６／ＫＮ−４２１）を用いた。
【００８０】
筒状モジュールケースに中空糸膜束を挿入し、筒状モジュールケース側面に設けたノズルよりポッティング剤を注入し、遠心力下で隔壁を形成することで、中空糸膜束の両端部を筒状モジュールケースの内壁に固定した。
【００８１】
ポッティング剤により隔壁を形成後、筒状モジュールケースに固定された隔壁の不要な部分を取り除くとともに、隔壁の端面に中空糸膜を開口させるためにカッティングを行い、筒状モジュールケースの両端部に液体が浸入する開口部を設けた蓋４を超音波接着で接合して取り付けた。
【００８２】
このとき、隔壁の厚さＴは７ｍｍとし、バッフル筒に備えたスリットの拡大部は隔壁に内在せしめており、拡大部以外の部分の一部は隔壁より内側の筒状モジュールケース内に露出させることで、本発明の中空糸膜モジュールを得た。
【００８３】
前記の条件にて中空糸膜モジュールを作製した後、筒状モジュールケース内の処理液側を全て水で満たし、蓋及び中空糸膜内の内部（被処理液側）を全て空気で満たし５００ｍｍＨｇに加圧することでリーク検査を行った。
〔実施例２〕
筒状モジュールケースの全長は２２０ｍｍ、端部内径は４７ｍｍ、バッフル筒内径は３７ｍｍとした。
【００８４】
バッフル筒に備えたスリットの拡大部の長さＬは、筒状モジュールケースの端部から筒軸方向に５ｍｍとした。
【００８５】
隔壁の厚さＴは７ｍｍとし、バッフル筒に備えたスリットの拡大部は隔壁に内在せしめており、拡大部以外の部分の一部は隔壁より内側の筒状モジュールケース内に露出させた。
【００８６】
他は前記の実施例１と同様に中空糸膜モジュールを作製し、リーク検査を行った。
〔実施例３〕
筒状モジュールケースの全長は２２０ｍｍ、端部内径は５３ｍｍ、バッフル筒内径は４１ｍｍとした。
【００８７】
バッフル筒に備えたスリットの拡大部の長さＬは、筒状モジュールケースの端部から筒軸方向に５ｍｍとした。
【００８８】
隔壁の厚さＴは７ｍｍとし、バッフル筒に備えたスリットの拡大部は隔壁に内在せしめており、拡大部以外の部分の一部は隔壁より内側の筒状モジュールケース内に露出させた。
【００８９】
他は前記の実施例１と同様に中空糸膜モジュールを作製し、リーク検査を行った。
［比較例１］
筒状モジュールケースの全長は２７５ｍｍ、端部内径は５６ｍｍ、バッフル筒内径は４６ｍｍとした。
【００９０】
バッフル筒に備えたスリットの拡大部の長さＬは、筒状モジュールケースの端部から筒軸方向に８ｍｍとした。
【００９１】
隔壁の厚さＴは１０ｍｍとし、バッフル筒に備えたスリットの拡大部は隔壁に内在せしめており、拡大部以外の部分の一部は隔壁より内側の筒状モジュールケース内に露出させた。
【００９２】
他は前記の実施例１と同様に中空糸膜モジュールを作製し、リーク検査を行った。
［比較例２］
筒状モジュールケースの全長は２７５ｍｍ、端部内径は５６ｍｍ、バッフル筒内径は４６ｍｍとした。
【００９３】
バッフル筒に備えたスリットの拡大部の長さＬは、筒状モジュールケースの端部から筒軸方向に８ｍｍとした。
【００９４】
隔壁の厚さＴは７ｍｍとし、バッフル筒に備えたスリットの拡大部は先端側の一部を隔壁に内在せしめており、拡大部のその他の部分と、拡大部以外の部分は隔壁より内側の筒状モジュールケース内に露出させた。
【００９５】
他は前記の実施例１と同様に中空糸膜モジュールを作製し、リーク検査を行った。
〔比較例３〕
筒状モジュールケースの全長は２２０ｍｍ、端部内径は５３ｍｍ、バッフル筒内径は４１ｍｍとした。
【００９６】
バッフル筒に備えたスリットの拡大部の長さＬは、筒状モジュールケースの端部から筒軸方向に８ｍｍとした。
【００９７】
隔壁の厚さＴは１０ｍｍとし、バッフル筒に備えたスリットの拡大部は隔壁に内在せしめており、拡大部以外の部分の一部は隔壁より内側の筒状モジュールケース内に露出させた。
【００９８】
他は前記の実施例１と同様に中空糸膜モジュールを作製し、リーク検査を行った。
［比較例４］
筒状モジュールケースの全長は２２０ｍｍ、端部内径は５３ｍｍ、バッフル筒内径は４１ｍｍとした。
【００９９】
バッフル筒に備えたスリットの拡大部の長さＬは、筒状モジュールケースの端部から筒軸方向に８ｍｍとした。
【０１００】
隔壁の厚さＴは７ｍｍとし、バッフル筒に備えたスリットの拡大部は先端側の一部を隔壁に内在せしめており、拡大部のその他の部分と、拡大部以外の部分は隔壁より内側の筒状モジュールケース内に露出させた。
【０１０１】
他は前記の実施例１と同様に中空糸膜モジュールを作製し、リーク検査を行った。
【０１０２】
なお、これらの実施例、比較例により各１００本以上の中空糸膜モジュールを作製し、リーク検査を行った結果を表１に示す。
【０１０３】
【表１】
2009195899.tif 000003
【産業上の利用可能性】
【０１０４】
本発明の中空糸膜モジュールは、人工透析、血液濾過に必要な血液処理器、浄水器、ガス分離膜等の用途に用いることができる。
【符号の説明】
【０１０５】
１：筒状モジュールケース
２：中空糸膜束
３：隔壁
４：蓋
５：ノズル
６：スリット
７：バッフル筒
８：拡大部
Ｔ：隔壁の厚さ
Ｌ：拡大部の長さ
ＷＬ１、ＷＬ２、ＷＬ３、ＷＬ４、ＷＬ５、ＷＬ６：拡大部の幅寸法
ＷＳ１、ＷＳ２、ＷＳ３、ＷＳ４、ＷＳ５、ＷＳ６：拡大部以外の部位の幅寸法
θ：筒軸に対する斜交角度
【図１】
2009195899.tif 000004
【図２】
2009195899.tif 000005
【図３】
2009195899.tif 000006
【図４】
2009195899.tif 000007